【手続補正書】
【提出日】平成18年4月3日(2006.4.3)
【手続補正１】
【補正対象書類名】特許請求の範囲
【補正対象項目名】全文
【補正方法】変更
【補正の内容】
【特許請求の範囲】
【請求項１】
吸収性の架橋可能なバインダー組成物で互いに固定された複数の粒子を含むことを特徴とする流体貯留材料。
【請求項２】
前記粒子は、超吸収性粒子を含むことを特徴とする請求項１に記載の流体貯留材料。
【請求項３】
前記粒子と前記吸収性架橋可能バインダー組成物中のバインダーとは、約１：４から約２０：１の間の比率で存在することを特徴とする請求項１に記載の流体貯留材料。
【請求項４】
前記粒子は、封入された薬剤を含むことを特徴とする請求項１に記載の流体貯留材料。
【請求項５】
前記薬剤は、芳香剤、洗浄剤、及び皮膚活性剤から成る群から選択されることを特徴とする請求項４に記載の流体貯留材料。
【請求項６】
前記粒子は、粉末を含むことを特徴とする請求項１に記載の流体貯留材料。
【請求項７】
前記粉末は、活性炭及び重炭酸ナトリウムから成る群から少なくとも１つを含むことを特徴とする請求項６に記載の流体貯留材料。
【請求項８】
前記吸収性架橋可能バインダー組成物で前記粒子に固定された複数の繊維を更に含むことを特徴とする請求項１に記載の流体貯留材料。
【請求項９】
前記繊維は、北方硬材繊維、南方硬材繊維、シルケット南方硬材繊維、軟材繊維、化学補剛南方軟材パルプ、架橋パルプ、セルロース粉末、超吸収性繊維、再生セルロース繊維、綿、酢酸セルロース、非セルロース繊維、ポリエステル繊維、アクリル繊維、ポリエチレン繊維、ポリプロピレン繊維、ポリアミド繊維、ポリ乳酸繊維、及びその組合せから成る群から少なくとも１つを含むことを特徴とする請求項８に記載の流体貯留材料。
【請求項１０】
前記吸収性架橋可能バインダー組成物は、前記粒子に対する水性流体の制約されないアクセスをもたらすほど十分に親水性の架橋可能バインダーを含むことを特徴とする請求項１に記載の流体貯留材料。
【請求項１１】
前記吸収性架橋可能バインダー組成物は、親水性ポリマー、親水性薬剤を含有する親水性ポリマーの配合物、及び親水性薬剤を含有する疎水性ポリマーの配合物から成る群から選択された可溶バインダーを含むことを特徴とする請求項１に記載の流体貯留材料。
【請求項１２】
前記吸収性架橋可能バインダー組成物は、アルコキシシラングラフトポリ（エチレンオキシド）を含むことを特徴とする請求項１に記載の流体貯留材料。
【請求項１３】
前記アルコキシシランは、メタクリロキシプロピルトリメトキシシランを含むことを特徴とする請求項１２に記載の流体貯留材料。
【請求項１４】
前記吸収性架橋可能バインダー組成物は、１０℃よりも低いガラス転移温度を有するバインダーを含むことを特徴とする請求項１に記載の流体貯留材料。
【請求項１５】
前記吸収性架橋可能バインダー組成物は、アクリル酸コポリマーを含むことを特徴とする請求項１に記載の流体貯留材料。
【請求項１６】
前記アクリル酸コポリマーは、アクリル酸及び長鎖親水性アクリレートエステルを含むことを特徴とする請求項１５に記載の流体貯留材料。
【請求項１７】
前記アクリル酸コポリマーは、アクリル酸またはアクリル酸塩及び長鎖親水性メタクリレートエステルを含むことを特徴とする請求項１５に記載の流体貯留材料。
【請求項１８】
前記アクリル酸コポリマーは、アクリル酸またはアクリル酸塩と、１から１３のエチレングリコール単位を有するポリ（エチレングリコール）メタクリレートとを含むことを特徴とする請求項１５に記載の流体貯留材料。
【請求項１９】
前記アクリル酸コポリマーは、縮合して架橋ポリマーを形成するシラノール官能基を水に露出されると形成することができる官能基を有するエステルを含むことを特徴とする請求項１５に記載の流体貯留材料。
【請求項２０】
前記吸収性架橋可能バインダー組成物は、可塑剤、着色剤、安定剤、流動助剤、及び保存剤から成る群から選択された改質剤を更に含むことを特徴とする請求項１に記載の流体貯留材料。
【請求項２１】
１グラム当たり少なくとも５グラムの吸収容量を有することを特徴とする請求項１に記載の流体貯留材料。
【請求項２２】
１グラム当たり少なくとも１０グラムの吸収容量を有することを特徴とする請求項１に記載の流体貯留材料。
【請求項２３】
少なくとも０．５ｇ／ｃｍ3の密度を有することを特徴とする請求項１に記載の流体貯留材料。
【請求項２４】
１６０ｍｇよりも低い「ガーリー」剛度値を有することを特徴とする請求項１に記載の流体貯留材料。
【請求項２５】
前記吸収性架橋可能バインダー組成物は、多価金属イオンを有する潜在架橋剤を含むことを特徴とする請求項１に記載の流体貯留材料。
【請求項２６】
前記流体貯留材料は、約０．２と約４ミリメートルの間の厚さを有することを特徴とする請求項１に記載の流体貯留材料。
【請求項２７】
前記流体貯留材料は、０．３ｐｓｉの付加荷重の下で１平方センチメートル当たり少なくとも０．２グラムの吸収容量を有することを特徴とする請求項１に記載の流体貯留材料。
【請求項２８】
前記流体貯留材料は、０．３ｐｓｉの付加荷重の下で１平方センチメートル当たり少なくとも０．６グラムの吸収容量を有することを特徴とする請求項１に記載の流体貯留材料。
【請求項２９】
基体と、
吸収性の架橋可能なバインダー組成物で前記基体に固定された粒子と、
を含むことを特徴とする請求項１から２８のいずれかに記載の流体貯留材料。
【請求項３０】
前記基体は、不織ウェブ、織ウェブ、編布、セルロースティッシュシート、プラスチックフィルム、発泡体、ストランド複合材、及びエラストマー網状複合材から成る群から選択されることを特徴とする請求項２９に記載の流体貯留材料。
【請求項３１】
前記基体は、ポリプロピレン、低密度ポリエチレン、高密度ポリエチレン、線状低密度ポリエチレン、超低密度ポリエチレン、スチレン−エチレン−ブチレン−スチレン・ブロックコポリマー、スチレン−イソプレン−スチレン・ブロックコポリマー、メタロセン触媒エラストマー、メタロセン触媒プラストマー、モノリシック通気性フィルム、ポリエーテルアミドベースのポリマー、及びエーテル／エステルポリウレタン熱可塑性エラストマーから成る群から少なくとも１つを有するプラスチックフィルムを含むことを特徴とする請求項２９に記載の流体貯留材料。
【請求項３２】
前記基体は非吸収性であることを特徴とする請求項２９に記載の流体貯留材料。
【請求項３３】
請求項１から２８のいずれかに記載の流体貯留材料を含むことを特徴とするパーソナルケア製品。
【請求項３４】
請求項２９に記載の流体貯留材料からなるパーソナルケア製品。
【請求項３５】
請求項１から２８のいずれかに記載の流体貯留材料を製造する方法であって、
複数の粒子を、該粒子を実質的に膨潤又は溶解しない溶媒中にバインダーを含む溶液に分散させる段階と、
前記粒子と前記バインダー溶液との配合物を表面に付加する段階と、
前記バインダーの架橋を誘導する段階と、
前記表面から前記溶媒を除去する段階と、
を含むことを特徴とする方法。
【請求項３６】
請求項１から２８のいずれかに記載の流体貯留材料を製造する方法であって、
複数の粒子を表面上に分散させる段階と、
前記粒子を実質的に膨潤にしない溶媒中にバインダーを含む溶液を前記表面に付与する段階と、
前記バインダーの架橋を誘導する段階と、
前記表面から前記溶媒を除去する段階と、
を含むことを特徴とする方法。
【請求項３７】
請求項１から２８のいずれかに記載の流体貯留材料を製造する方法であって、
バインダー組成物を流動可能な状態まで加熱する段階と、
前記流動可能バインダー組成物を表面上に押出しコーティングする段階と、
前記複数の粒子を前記バインダー組成物に加える段階と、
湿った空気に露出することにより前記バインダーの架橋を誘導する段階と、
を含むことを特徴とする方法。